(57)【要約】【課題】後キャビネットを小型にしても制御基板を冷却することができる表示装置を提供する。【解決手段】後キャビネット３後部に凹部３０を形成する。該凹部３０にメイン基板１３、電源基板１４及びインバータ基板１５を収容し、メイン基板１３、電源基板１４及びインバータ基板１５を冷却するための空間を後キャビネット３の内側に確保することなく後キャビネット３を設計し、後キャビネット３の小型化を図ることができる構成とした。また従来バックライトシャーシに設けていた蛍光管、スピーカ１６及び固定部材１５を後キャビネット３に設けて、バックライトシャーシを削減し、表示装置の軽量化及び小型化を図ることができる構成とした。【選択図】図２
2010276858.tif 000002
【特許請求の範囲】
【請求項１】
映像を表示する表示パネルの周囲に配置される枠形の前キャビネットと、該前キャビネットの後側に配置される箱形の後キャビネットと、該後キャビネットに収容され、前記表示パネルへ光を照射する光源とを備える表示装置において、
前記後キャビネットの後面に、前記光源又は表示パネルの駆動を制御する制御基板が設けてあること
を特徴とする表示装置。
【請求項２】
前記後キャビネットの後面に凹部が設けてあり、
該凹部内に前記制御基板を配置してあること
を特徴とする請求項１に記載の表示装置。
【請求項３】
前記制御基板を覆う蓋体を備えることを特徴とする請求項１又は２に記載の表示装置。
【請求項４】
スピーカと、スタンドを固定する固定部材とを備え、
前記後キャビネットに、前記光源、スピーカ及び固定部材を設けてあること
を特徴とする請求項１から３のいずれか一つに記載の表示装置。
【発明の詳細な説明】
【技術分野】
【０００１】
本発明は映像を表示する表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されている。
【０００３】
後キャビネット内には液晶表示パネルの駆動を制御する制御基板、及び光源の駆動を制御する制御基板を設けてあり、各制御基板からの制御信号に基づいて、液晶表示パネル及び光源の駆動を制御し、液晶表示パネルに所望の品位の映像を表示している（例えば特許文献１参照）。
【先行技術文献】
【特許文献】
【０００４】
【特許文献１】特開２００４−２７２２３７号公報
【発明の概要】
【発明が解決しようとする課題】
【０００５】
各制御基板は、冷却風が通流する隙間を空けて、後キャビネット内に配置してあり、後キャビネットは冷却風が通流する隙間を考慮した大きさに設計されなければならず、後キャビネットを小型にすることが難しかった。
【０００６】
本発明は斯かる事情に鑑みてなされたものであり、後キャビネットを小型にしても制御基板を冷却することができる表示装置を提供することを目的とする。
【課題を解決するための手段】
【０００７】
本発明に係る表示装置にあっては、映像を表示する表示パネルの周囲に配置される枠形の前キャビネットと、該前キャビネットの後側に配置される箱形の後キャビネットと、該後キャビネットに収容され、前記表示パネルへ光を照射する光源とを備える表示装置において、前記後キャビネットの後面に、前記光源又は表示パネルの駆動を制御する制御基板が設けてあることを特徴とする。
【０００８】
本発明においては、制御基板を冷却するための空間を確保することなく後キャビネットを設計し、後キャビネットの小型化を図る。
【０００９】
本発明に係る表示装置にあっては、前記後キャビネットの後面に凹部が設けてあり、該凹部内に前記制御基板を配置してあることを特徴とする。
【００１０】
本発明においては、制御基板が後方へ突出することを防ぎ、表示装置を壁に取り付けた場合に、表示装置が占有する室内空間を最小限に止める。
【００１１】
本発明に係る表示装置にあっては、前記制御基板を覆う蓋体を備えることを特徴とする。
【００１２】
本発明においては、蓋体によって制御基板を隠蔽し、表示装置の意匠性を向上させる。
【００１３】
本発明に係る表示装置にあっては、スピーカと、スタンドを固定する固定部材とを備え、前記後キャビネットに、前記光源、スピーカ及び固定部材を設けてあることを特徴とする。
【００１４】
本発明においては、従来バックライトシャーシに設けていた光源、スピーカ及び固定部材を後キャビネットに設けることで、バックライトシャーシを削減し、表示装置の軽量化及び小型化を図る。
【発明の効果】
【００１５】
本発明に係る表示装置にあっては、制御基板を後キャビネットの後面にて冷却するので、制御基板を冷却するための空間を確保することなく後キャビネットを設計し、後キャビネットの小型化を図ることができる。
【図面の簡単な説明】
【００１６】
【図１】実施の形態に係る表示装置の略示分解斜視図である。
【図２】蓋体を取り外した後キャビネットの略示斜視図である。
【発明を実施するための形態】
【００１７】
以下本発明を実施の形態に係る表示装置を示す図面に基づいて詳述する。図１は表示装置の略示分解斜視図である。
図において１は、液晶を備える矩形の表示パネルであり、該表示パネル１は、液晶への印加電圧を制御して光の透過率を調整し、映像を表示するように構成されている。表示パネル１の周囲には矩形枠形の前キャビネット２が設けてあり、該前キャビネット２の開口の寸法は表示パネル１に対応した寸法となっている。
【００１８】
前キャビネット２の後側には、前側が開放してある矩形箱形の後キャビネット３が設けてあり、該後キャビネット３の縁部分は前キャビネット２に対向している。後キャビネット３には光源としての複数の蛍光管４を収容してある。なお前キャビネット２は縁部分に爪部（図示せず）を備え、後キャビネット３は該爪部に対応する凹形の係合部（図示せず）を備えており、爪部と係合部とを係合させてある。
【００１９】
後キャビネット３の内側底面には、蛍光管４の光を反射する矩形の反射シート５が設けてある。該反射シート５の上縁部及び下縁部は前方へ屈曲している。反射シート５の中央部分には複数の挿入孔５ａが設けてある。該挿入孔５ａに、前側から複数のランプクリップ６が挿入してあり、ランプクリップ６は後キャビネット３に固定されている。
【００２０】
反射シート５の左右に、上下に細長い箱形のランプホルダー８がそれぞれ設けてある。ランプホルダー８は後キャビネット３との間で反射シート５を挟持している。左側に位置するランプホルダー８の側面には、蛍光管４を挿通する複数の挿通孔８ａが上下に並設されている。左側に位置するランプホルダー８の内側には複数のソケット７が設けてあり、ソケット７は前記挿通孔８ａに対向するように配置されている。一方、右側に位置するランプホルダー８は後述する電極部材７０を後キャビネット３との間で挟持している。
両ランプホルダー８、８の前部には、前後方向に垂直な載置面８ｂがそれぞれ形成されている。該載置面８ｂはランプホルダー８の上端部から下端部に亘って形成されている。
【００２１】
前記ランプクリップ６は蛍光管４の中途部を支持している。蛍光管４の左端部は挿通孔８ａを通り、ソケット７に接続されている。一方蛍光管４の右端部は、反射シート５の右側に配置された上下に細長い電極部材７０に接続してある。なお右側に位置するランプホルダー８は、蛍光管４の右端部に対応する位置に図示しない挿通孔を備えており、該挿通孔に蛍光管４の右端部が挿通している。またソケット７は、図示しない電線を介して後述するインバータ基板１５に接続されている。また電極部材７０は接地してある。
【００２２】
両ランプホルダー８、８の載置面８ｂには、蛍光管４の光を拡散させる矩形の拡散板９が載置してある。拡散板９の前面には、拡散板９にて拡散された光を表示パネル１へ向けて集光する複数の光学シート１０が設けてある。光学シート１０の前側に表示パネル１が配置してある。
【００２３】
表示パネル１の四隅には、Ｌ形のパネル押え具１１がそれぞれ設けてある。該パネル押え具１１は、後方へ突出した突出板１１ａと、該突出板１１ａから横向きに延出した延出板１１ｂとを備えている。該延出板１１ｂは後キャビネット３にねじ止めしてある。パネル押え具１１同士の間に、細長い防塵シール１２が表示パネル１の縁に沿って設けてある。該防塵シール１２及びパネル押え具１１の前側に、前記前キャビネット２が配置してある。
【００２４】
前記表示パネル１の駆動を制御するメイン基板１３、供給電力を制御する電源基板１４、及び蛍光管４に印加する電圧の周波数を調整するインバータ基板１５が後キャビネット３の後面に取り付けてある。図２は蓋体を取り外した後キャビネット３の略示斜視図である。
【００２５】
後キャビネット３の後面において、後キャビネット３の上縁部及び下縁部の間に、後キャビネット３の左側部から右側部に亘る凹部３０が形成されている。該凹部３０の底面にメイン基板１３、電源基板１４及びインバータ基板１５を並設してある。メイン基板１３には、外部機器との接続を行う後方に突出した複数の端子１３ａが実装してある。なお電源基板１４からメイン基板１３及びインバータ基板１５に電力が供給されている。
【００２６】
凹部３０の下側面の左右部分に、スピーカ１６がそれぞれ固定してある。後キャビネット３の下側面に、図示しない放音孔が開設してあり、スピーカ１６の音は該放音孔から外部に発せられる。
【００２７】
後キャビネット３の後面において、後キャビネット３の下縁部の左右方向中央部分には取付凹部３１が形成してある。取付凹部３１の前後寸法は、前記凹部３０の前後寸法よりも小さくなっている。取付凹部３１の上下側面は開放されており、図２に示すように、取付凹部３１と凹部３０とは連なっている。取付凹部３１の内側に、スタンドを固定する固定部材１５がねじ止めしてあり、該固定部材１５は取付凹部３１内に収まっている。固定部材１５は上下側面が開放された直方体状をなし、下方から挿入されたスタンドを固定する。
【００２８】
前記凹部３０には、凹部３０を覆う矩形状の蓋体４０が取り付けてある。蓋体４０の上下及び左右寸法は凹部３０と略同寸であり、蓋体４０の縁部分は凹部３０の縁部分に係合している。蓋体４０の上縁部には前方に突出した二つの係合爪４１、４１が設けてある。後キャビネット３には、図示しない二つの係合凹部が設けてあり、該係合凹部に係合爪４１、４１が係合している。蓋体４０には前後に貫通した複数の端子孔４２が開設してあり、該端子孔４２にメイン基板１３の端子１３ａが挿入されている。
【００２９】
実施の形態に係る表示装置にあっては、メイン基板１３、電源基板１４及びインバータ基板１５を冷却するための空間を後キャビネット３の内側に確保することなく後キャビネット３を設計し、後キャビネット３の小型化を図ることができる。また凹部３０にメイン基板１３、電源基板１４及びインバータ基板１５を収容して各基板が後方へ突出することを防ぎ、表示装置を壁に取り付けた場合に、表示装置が占める室内空間を最小限に止めることができる。また蓋体４０によってメイン基板１３、電源基板１４及びインバータ基板１５を隠蔽し、表示装置の意匠性を向上させることができる。また従来バックライトシャーシに設けていた蛍光管４、スピーカ１６及び固定部材１５を後キャビネット３に設けることで、バックライトシャーシを削減し、表示装置の軽量化及び小型化を図ることができる。
【００３０】
実施の形態に係る表示装置は光源として蛍光管４を使用しているが、蛍光管４に代えて、ＬＥＤをパネルの一面に植設したＬＥＤパネルを光源として使用しても良い。
【符号の説明】
【００３１】
１  表示パネル
２  前キャビネット
３  後キャビネット
４  蛍光管（光源）
１３  メイン基板（制御基板）
１４  電源基板（制御基板）
１５  インバータ基板（制御基板）
１６  スピーカ
１７  固定部材
３０  凹部
４０  蓋体
【図１】
2010276858.tif 000003
【図２】
2010276858.tif 000004